(57)【要約】【課題】会社、自宅というような複数のモードの切り替えと、モードに対応する各種設定とをユーザが意識することなく変更することを可能とする。【解決手段】各種モード毎の設定情報を保持する設定情報保持手段と、リンクが確立している無線基地局の基地局情報を取得する基地局情報取得手段と、予め指定された登録基地局情報を保持する基地局情報保持手段と、前記登録基地局情報と前記基地局情報取得手段により取得された基地局情報とが同一であるか否かを比較して、前記モードを判定するモード判定手段と、通信端末装置の各種設定を行う設定手段とを備え、前記設定手段は、前記設定情報保持手段から前記モード判定手段により判定されたモードに従った設定情報を取得して設定を行う。【選択図】図１
2007201799.tif 000002
【特許請求の範囲】
【請求項１】
モードに応じて設定情報の切り替えを可能とした通信端末装置であって、
各種モード毎の設定情報を保持する設定情報保持手段と、
リンクが確立している無線基地局の基地局情報を取得する基地局情報取得手段と、
予め指定された登録基地局情報を保持する基地局情報保持手段と、
前記登録基地局情報と前記基地局情報取得手段により取得された基地局情報とが同一であるか否かを比較して、前記モードを判定するモード判定手段と、
通信端末装置の各種設定を行う設定手段とを備え、
前記設定手段は、前記設定情報保持手段から前記モード判定手段により判定されたモードに従った設定情報を取得して設定を行うことを特徴とする通信端末装置。
【請求項２】
モードに応じて設定情報の切り替えを可能とした通信端末装置であって、
各種モード毎の設定情報を保持する設定情報保持手段と、
現在時刻情報をカウントすると共にカレンダー機能を持ち、西暦や日付、曜日を出力する時計手段と、
予め指定された西暦や日付、時刻、曜日の情報保持する時刻、曜日情報保持手段と、
前記時計手段から取得した現在の西暦や日付、時刻、曜日の情報と前記曜日情報保持手段に保持されている西暦や日付、時刻、曜日の情報とが同一であるか否かを比較して、前記モードを判定するモード判定手段と、
通信端末装置の各種設定を行う設定手段とを備え、
前記設定手段は、前記設定情報保持手段から前記モード判定手段により判定されたモードに従った設定情報を取得して設定を行うことを特徴とする通信端末装置。
【請求項３】
モードに応じて設定情報の切り替えを可能とした通信端末装置であって、
各種モード毎の設定情報を保持する設定情報保持手段と、
リンクが確立している無線基地局の基地局情報を取得する基地局情報取得手段と、
予め指定された登録基地局情報を保持する基地局情報保持手段と、
現在時刻情報をカウントすると共にカレンダー機能を持ち、西暦や日付、曜日を出力する時計手段と、
予め指定された西暦や日付、時刻、曜日の情報保持する時刻、曜日情報保持手段と、
前記登録基地局情報と前記基地局情報取得手段により取得された基地局情報とが同一であるか否かを比較し、また、前記時計手段から取得した現在の西暦や日付、時刻、曜日の情報と前記曜日情報保持手段に保持されている西暦や日付、時刻、曜日の情報とが同一であるか否かを比較して、前記モードを判定するモード判定手段と、
通信端末装置の各種設定を行う設定手段とを備え、
前記設定手段は、前記設定情報保持手段から前記モード判定手段により判定されたモードに従った設定情報を取得して設定を行うことを特徴とする通信端末装置。
【請求項４】
前記モードに従って設定が、着信音の種別、壁紙の種別、アラームのＯＮ、ＯＦＦの少なくとも１つであると共に、アドレス情報、履歴情報、リダイヤル情報の少なくとも１つを表示さることであることを特徴とする請求項１、２または３記載の通信端末装置。
【請求項５】
モードに応じて設定情報の切り替えを可能とした通信端末装置におけるモード切り替え方法であって、
各種モード毎の設定情報を保持し、
リンクが確立している無線基地局の基地局情報を取得し、
予め指定された登録基地局情報を保持し、
前記登録基地局情報と前記取得した基地局情報とが同一であるか否かを比較して、前記モードを判定し、
前記保持されている設定情報から前記判定されたモードに従った設定情報を取得して設定を行うことを特徴とする通信端末装置におけるモード切り替え方法。
【発明の詳細な説明】
【技術分野】
【０００１】
本発明は、通信端末装置及びモード切り替え方法に係り、特に、各種のモードに応じた各種の機能の設定を切り替えることを可能にした携帯電話機等の通信端末装置及びモード切り替え方法に関する。
【背景技術】
【０００２】
一般に、代表的な通信端末装置である携帯電話機は、着信音の音色の設定や、音量の設定、画面の表示設定、アラーム時刻の設定等を行うことが可能に構成されている。これらの設定内容は、ユーザが設定事項を手動により変更しない限り変更されることはなかった。そのため、例えば、着信音の音色等の各種設定を自宅と会社とで同一にしておくと、勤務中に着信があれば、設定された着信音による呼出しが行われ、着信音の種類によっては、勤務中の着信音として好ましくない場合があるという問題があった。
【０００３】
そこで、前述のような問題を解決することを可能にした従来技術として、例えば、特許文献１等に記載された技術が知られている。この従来技術は、ユーザが手動で所定ボタンを操作することによって、自宅用の通常モードと会社用のマナーモードとモードの切り替えを行うことにより、前述した各種の設定の切り替えを行うというものである。
【特許文献１】特開２００５−１５１４８３号公報
【発明の開示】
【発明が解決しようとする課題】
【０００４】
しかし、前述した従来技術は、通常モードとマナーモード、また、ビジネスモードとプライベートモード等のモードの状態に対応付けて、壁紙の設定を連動させて変更することができるようにしたものであるが、モードの切り替えを手動により行う必要があり、切り替えのためのアクションをし忘れた場合、勤務中に着信音が鳴ってしまう等の問題が残ってしまうという問題点を有している。また、前述した従来技術は、モードの切り換えと連動させるものが壁紙だけであり、着信音の音色の設定や、音量の設定、画面の表示設定、アラーム時刻の設定等の複数の設定事項をモードと連動させることのできないものてあった。このため、前述した従来技術は、アドレス帳、履歴情報、りダイヤル情報等がモード毎に切り替わることなく共通で使用されることになり、在宅であっても会社でしか使用しないアドレス情報を閲覧することになるなど、改善の余地が残っていた。
【０００５】
本発明の目的は、前述したような従来技術の問題点を解決し、会社、自宅というような複数のモードの切り替えと、モードに対応する各種設定とをユーザが意識することなく変更することができる通信端末装置及びモード切り替え方法を提供することにある。
【課題を解決するための手段】
【０００６】
前記目的を達成するため、本発明の第１の手段は、モードに応じて設定情報の切り替えを可能とした通信端末装置であって、各種モード毎の設定情報を保持する設定情報保持手段と、リンクが確立している無線基地局の基地局情報を取得する基地局情報取得手段と、予め指定された登録基地局情報を保持する基地局情報保持手段と、前記登録基地局情報と前記基地局情報取得手段により取得された基地局情報とが同一であるか否かを比較して、前記モードを判定するモード判定手段と、通信端末装置の各種設定を行う設定手段とを備え、前記設定手段は、前記設定情報保持手段から前記モード判定手段により判定されたモードに従った設定情報を取得して設定を行うことを特徴とする。
【０００７】
また、本発明の第２の手段は、モードに応じて設定情報の切り替えを可能とした通信端末装置であって、各種モード毎の設定情報を保持する設定情報保持手段と、現在時刻情報をカウントすると共にカレンダー機能を持ち、西暦や日付、曜日を出力する時計手段と、予め指定された西暦や日付、時刻、曜日の情報保持する時刻、曜日情報保持手段と、前記時計手段から取得した現在の西暦や日付、時刻、曜日の情報と前記曜日情報保持手段に保持されている西暦や日付、時刻、曜日の情報とが同一であるか否かを比較して、前記モードを判定するモード判定手段と、通信端末装置の各種設定を行う設定手段とを備え、前記設定手段は、前記設定情報保持手段から前記モード判定手段により判定されたモードに従った設定情報を取得して設定を行うことを特徴とする。
【０００８】
また、本発明の第３の手段は、モードに応じて設定情報の切り替えを可能とした通信端末装置であって、各種モード毎の設定情報を保持する設定情報保持手段と、リンクが確立している無線基地局の基地局情報を取得する基地局情報取得手段と、予め指定された登録基地局情報を保持する基地局情報保持手段と、現在時刻情報をカウントすると共にカレンダー機能を持ち、西暦や日付、曜日を出力する時計手段と、予め指定された西暦や日付、時刻、曜日の情報保持する時刻、曜日情報保持手段と、前記登録基地局情報と前記基地局情報取得手段により取得された基地局情報とが同一であるか否かを比較し、また、前記時計手段から取得した現在の西暦や日付、時刻、曜日の情報と前記曜日情報保持手段に保持されている西暦や日付、時刻、曜日の情報とが同一であるか否かを比較して、前記モードを判定するモード判定手段と、通信端末装置の各種設定を行う設定手段とを備え、前記設定手段は、前記設定情報保持手段から前記モード判定手段により判定されたモードに従った設定情報を取得して設定を行うことを特徴とする。
【０００９】
また、本発明の第４の手段は、第１、第２または第３の手段において、前記モードに従って設定が、着信音の種別、壁紙の種別、アラームのＯＮ、ＯＦＦの少なくとも１つであると共に、アドレス情報、履歴情報、リダイヤル情報の少なくとも１つを表示さることであることを特徴とする。
【００１０】
また、本発明の第５の手段は、モードに応じて設定情報の切り替えを可能とした通信端末装置におけるモード切り替え方法であって、各種モード毎の設定情報を保持し、リンクが確立している無線基地局の基地局情報を取得し、予め指定された登録基地局情報を保持し、前記登録基地局情報と前記取得した基地局情報とが同一であるか否かを比較して、前記モードを判定し、前記保持されている設定情報から前記判定されたモードに従った設定情報を取得して設定を行うことを特徴とする。
【発明の効果】
【００１１】
本発明によれば、モードの切り換えを自動的に行い、また、モード変更に連動して、一度に複数の設定項目の切り替えを行うことができ、手動の煩わしさをなくし、また、モード切り替え忘れによる不都合等を無くすことができる。
【発明を実施するための最良の形態】
【００１２】
以下、本発明による通信端末装置及びモード切り替え方法の実施形態を図面により詳細に説明する。
【００１３】
図１は本発明の一実施形態による通信端末装置の構成を示すブロック図、図２は無線基地局の概略を説明する図である。なお、本発明の実施形態では、通信端末装置が携帯電話機であるとする。
【００１４】
本発明の実施形態による通信端末装置は、図１に示すように、通信端末装置全体の制御を行うＣＰＵ１と、制御のための各種のプログラムが格納されたＲＯＭ２と、各種の設定値を記憶する領域、モード毎の設定値を記憶する領域、通話に関する情報及び履歴（アドレス帳、リダイヤルデータ、コールバック等のデータ）をモード毎に記憶する領域、作業用の領域を有する不揮発性のＲＡＭ３と、各種設定値やアドレス帳等を表示するディスプレイとしての表示部４と、キー入力やＳＷ等の入力を受け付ける操作部５と、リアルタイムクロックを持ち、現在時刻情報をカウントすると共にカレンダー機能を持つことにより、西暦や日付、曜日を出力する時計回路６と、音声データや通信データを電波（搬送波）に乗せて基地局と送受信する電波送受信部８と、通信端末装置に内蔵されるアンテナ９と、マイク１１からのアナログデータをデジタルデータ化したり、デジタルの音声データをアナログ化して、スピーカ１２から出力する等の音声を処理する音声処理回路１０と、音声を拾うマイクロフォンであるマイク１１と、音声を出力するスピーカ１２と、基地局情報の取得を行って取得した基地局識別情報を記憶する基地局登録部１３と、予め定めたモード、例えば、ビジネスモードと判断するための条件を記憶するモード判定時刻登録部１４とがシステムバス７を介して相互に接続可能に構成されている。
【００１５】
前述において、基地局登録部１３及びモード判定時刻登録部１４は、どちらもＲＡＭ３内に設けられてもよい。また、モード判定時刻登録部１４は、例えば、平日については、８：００〜１９：００、土曜日、日曜日、祭日については「設定無し」というように設定される。平日、土曜日、日曜日、祭日は、時計回路６のカレンダー機能を利用することにより判断することができる。
【００１６】
前述したように構成される通信端末装置が通信を行う場合、通信端末装置は、周辺に設置されている無線基地局を介して、他の通信端末装置、公衆電話網等を介した一般の電話機等との間で通信を行うが、その無線基地局２１は、図２に示すように、基地局アンテナ２０有し、電話回線網２２と接続されている。無線基地局２１の構成は、公知のものであり、また、本発明では無線基地局の構成がどのようなものであってもよいので、ここでの説明を省略する。
【００１７】
図３は基地局登録の処理動作を説明するフローチャートであり、次に、これについて説明する。本発明の実施形態で基地局情報を登録しておくのは、予め設定したモードであるか否かの判定に用いるためであり、本発明の実施形態では、職場等に在籍するときに利用可能な基地局の情報を予め設定しておき、前述の基地局のサービスエリア内に利用者が居る場合に、通信端末装置のモードを予め設定した第１のモード（ビジネスモード）であると判定できるようにしている。このため、本発明の実施形態では、ここで説明する基地局登録の処理を行わせるのは、ユーザが職場に在籍しているときである。
【００１８】
（１）最初に通信端末装置のメニューにおける設定画面から本発明の実施形態のために設けた「基地局登録」を選択する（ステップ３０１）。
【００１９】
（２）ステップ３０１で「基地局登録」を選択すると、通信端末装置が基地局情報を取得するか否かの確認の情報を表示するので、基地局情報取得ボタンを押下する（ステップ３０２）。
【００２０】
（３）ステップ３０２で基地局情報取得ボタンが押下されると、通信端末装置は、その時点で無線で接続されている基地局識別情報を取得する処理を行う（ステップ３０３）。
【００２１】
（４）ステップ３０３の処理で、基地局識別情報を取得することができると、通信端末装置が基地局識別情報を登録するか否かの確認の情報を表示するので、基地局情報登録ボタンを押下する（ステップ３０４）。
【００２２】
（５）通信端末装置は、基地局情報登録ボタンが押されたら、ステップ３０３の処理で取得した基地局識別情報を基地局登録部１３に登録し、基地局情報登録ボタンが押されなかった場合、取得した基地局情報を廃棄して、ここでの処理を終了する（ステップ３０５）。
【００２３】
前述したステップ３０３での基地局識別情報の取得の方法としては、以下に、制御するような幾つかの方法が用いられる。
【００２４】
１．通常、通信携帯端末は、通信を行っていないときでも、最寄りの基地局との間に常にリンクが張られているので、そのときの基地局の情報を取得する。
【００２５】
２．携帯キャリアによっては、基地局の位置情報を定期的に送信しているので、その情報を取得する。
【００２６】
３．リンクが張られていても基地局情報が取得できない場合には、通信端末装置から信号を送信して基地局情報を取得する。この場合、通信キャリアとの間で通信プロトコルを取り決めておくことが必要になる可能性もある。
【００２７】
基地局識別情報のデータとしては、○○県○○市○○町というアスキーコードであっても、単なる英数字の列であつてもよく、本発明の実施形態では、基地局を識別することができればどのような形式のデータでもよい。
【００２８】
図４は第１のモード（ビジネスモード）の曜日、時間の設定を行う処理動作を説明するフローチャートであり、次に、これについて説明する。
【００２９】
（１）最初に通信端末装置のメニューにおける設定画面から本発明の実施形態のために設けた「第１のモードの曜日・時間指定」を選択する（ステップ４０１）。
【００３０】
（２）ユーザが、入力ガイドに従って、曜日や時間を指定して入力すると、通信端末送信は、入力された内容を、モード判定時刻登録部１４に登録する（ステップ４０２）。
【００３１】
登録する内容は、通信端末装置をビジネスモードとして使用したい時間、曜日であってよく、例えば、平日の８：００〜１９：００、土日、祭日についての「設定無し」というように設定する。また、土曜日、日曜日、祭日ではなく、曜日で指定することも可能である。
【００３２】
図５はＲＡＭ３内に格納されるモード毎の設定値情報、通話に関する情報及び履歴情報について説明する図である。
【００３３】
図５（ａ）に示すように、ＲＡＭ３内に設けられるモード毎の設定情報登録領域には、第１のモード（ビジネスモード）、第２のモード（自宅モード）毎に、それらの設定情報として、着信音の種類、壁紙の種類、アラームのＯＮまたはＯＦＦが設定されて登録されている。これらの設定情報の登録は、図４に示して説明したと同様に、通信端末装置のメニューにおける設定画面からユーザが予め行っておく。
【００３４】
また、図５（ｂ）に示すように、ＲＡＭ３内に設けられるモード毎の表示情報登録領域には、第１のモード（ビジネスモード）、第２のモード（自宅モード）毎に、通話に関する情報及び履歴情報として、図示例では、アドレス、履歴、リダイヤルの各情報が設定されて登録されており、必要な時に内容を表示させることができる。アドレス情報の登録は、図４に示して説明したと同様に、通信端末装置のメニューにおける設定画面からユーザが予め行っておけばよく、履歴、リダイヤルは、通話を行った毎に、そのときのモードに応じて仕分けされて自動的に行われる。
【００３５】
図６は無線基地局の識別情報によりモードを判定して、モードに対応した設定情報を利用する処理動作を説明する本発明の実施形態でのフローチャートであり、次に、これについて説明する。
【００３６】
（１）通信端末装置は、一定時間が経過する毎に、通信リンクが成立している無線基地局の識別情報を取得する。一定時間の間に、通信キャリアが異なってもよい。無線基地局の識別情報取得の方法については、図３により説明したように行われる（ステップＳ６０１、Ｓ６０２）。
【００３７】
（２）次に、取得した基地局識別情報と、基地局登録部１３に登録されている基地局の識別情報とが一致するか否かをＣＰＵ１により判定する。この判定は、基地局登録部１３の登録内容をＲＡＭ３のワーク領域にロードして比較し、一致するか否かを見ることにより行うことができる（ステップＳ６０３）。
【００３８】
（３）ステップＳ６０３の判定で、取得した基地局識別情報と、基地局登録部１３に登録されている基地局の識別情報とが一致していた場合、通信端末装置が登録された基地局のエリア内に居ることになり、この場合、ＣＰＵは、第１のモード（ビジネスモード）と判定する（ステップＳ６０４）。
【００３９】
（４）ステップＳ６０４の処理で、第１のモードと判定した後、図５により説明したＲＡＭ３内の設定情報登録領域の第１のモードに格納されている各種設定の内容を選択し、これらの内容を自動的に反映させる。すなわち、着信音の音色の設定、音量の設定を着信音Ｂ、画面の表示の設定を壁紙Ｂ、アラームの設定をＯＦＦとして、これらの設定を有効にする。また、図５により説明したＲＡＭ３内の表示情報登録領域の第１のモードに格納されている各種設定の内容を選択し、これらの内容を自動的に反映させる。すなわち、電話帳、リダイヤル、コールバック等の通話に関する通話に関する情報、履歴として、アドレスＢ、履歴Ｂ、リダイヤルＢの各情報を表示部４に表示するように自動的に反映させる（ステップＳ６０５）。
【００４０】
（５）ステップＳ６０３の判定で、取得した基地局識別情報と、基地局登録部１３に登録されている基地局の識別情報とが一致していなかった場合、通信端末装置が登録された基地局のエリア内に居ないことになり、この場合、ＣＰＵは、第２のモード（プライベート（自宅）モード）と判定する（ステップＳ６０６）。
【００４１】
（６）ステップＳ６０４の処理で、第２のモードと判定した後、図５により説明したＲＡＭ３内の設定情報登録領域の第２のモードに格納されている各種設定の内容を選択し、これらの内容を自動的に反映させる。すなわち、着信音の音色の設定、音量の設定を着信音Ａ、画面の表示の設定を壁紙Ａ、アラームの設定をＯＮとして、これらの設定を有効にする。また、図５により説明したＲＡＭ３内の表示情報登録領域の第２のモードに格納されている各種設定の内容を選択し、これらの内容を自動的に反映させる。すなわち、電話帳、リダイヤル、コールバック等の通話に関する通話に関する情報、履歴として、アドレスＡ、履歴Ａ、リダイヤルＡの各情報を表示部４に表示するように自動的に反映させる（ステップＳ６０５）。
【００４２】
図７は現在時刻や曜日情報によりモードを判定して、モードに対応した設定情報を利用する処理動作を説明する本発明の実施形態でのフローチャートであり、次に、これについて説明する。
【００４３】
（１）通信端末装置は、一定時間が経過する毎に、現在時刻や曜日情報、祭日情報を時計回路６から取得する（ステップＳ６０１、Ｓ７０１）。
【００４４】
（２）次に、時計回路６から取得した時刻、曜日、祭日情報と、モード判定時刻登録部１４に登録されているモード１（ビジネスモード）と判断するための条件とを比較し、時計回路６から取得した時刻、曜日、祭日情報が登録された条件に一致しているか否かを判定する（ステップＳ７０２）。
【００４５】
（３）ステップＳ７０２の判定で、登録された条件に一致していると判定した場合に、ＣＰＵが第１のモード（ビジネスモード）と判定する処理及びその後の処理は、図６により説明したステップＳ６０４、Ｓ６０５の場合と同様に行われるので、ここでの説明を省略する（ステップＳ６０４、Ｓ６０５）。
【００４６】
（４）また、ステップＳ７０２の判定で、登録された条件に一致していないと判定した場合に、ＣＰＵが第２のモード（プライベートモード）と判定する処理及びその後の処理は、図６により説明したステップＳ６０６、Ｓ６０７の場合と同様に行われるので、ここでの説明を省略する（ステップＳ６０６、Ｓ６０７）。
【００４７】
図８は無線基地局の識別情報と現在時刻や曜日情報との両者によりモードを判定して、モードに対応した設定情報を利用する処理動作を説明する本発明の実施形態でのフローチャートであり、次に、これについて説明する。
【００４８】
図８に示すフローによる処理は、図６に示して説明したフローによる処理と図７に示して説明したフローによる処理とを組み合わせたものである。従って、図８に示す各処理のステップの符号が図６、図７と同一となっているステップでの処理は、図６、図７で説明した場合と同一であるので、ここでの説明は簡略に行う。
【００４９】
すなわち、ここでの処理は、リンクが成立している無線基地局の識別情報が基地局登録部１３に登録されている基地局の識別情報とが一致するか否かと、時計回路６から取得した現在時刻や曜日情報、祭日情報がモード判定時刻登録部１４に登録されている条件を満たしているか否かとの２つの条件の組み合わせにより、第１のモードと第２のモードとを決定している。そして、この例では、登録された無線基地局のエリア内に居ない場合（例えば、外出して他事業所にいる等）でも、登録された曜日時刻であれば第１のモード、すなわち、ビジネスモードとして設定される。図８に示すフローによる処理例では、両方の条件がＮｏのときだけ第２のモードであると判定している。当然、組み合わせは自由であるので、これ以外の判定の仕方もあり得る。
【００５０】
前述までに説明した例では、無線基地局の情報として、会社エリアの無線基地局情報のみを登録するとして説明したが、本発明は、自宅エリアの無線基地局情報も登録するようにしてもよい。
【００５１】
図９は無線基地局の情報として、会社エリアと自宅エリアとの２つの無線基地局情報を登録した場合の本発明の実施形態での処理動作の例を説明するフローチャートであり、次に、これについて説明する。
【００５２】
図９に示すフローの例は、自宅エリアの無線基地局情報も取得して登録しておき、図７に示して説明したフローにおけるステップＳ７０２のＮｏの判定側とステップＳ６０６との間に、通信リンクが確立している無線基地局が自宅エリアの無線基地局であるか否かを判定するステップＳ９０１を設け、ここでの判定で、通信リンクが確立している無線基地局が自宅エリアの無線基地局であった場合に、第２のモードと判定するステップＳ６０６の処理を行い、また、通信リンクが確立している無線基地局が自宅エリアの無線基地局でなかった場合に、第１のモードを判定するステップＳ６０４の処理を行うようにしたものである。なお、その他の処理内容は、図７により説明した場合と同一である。
【００５３】
このような処理を行うことにより、ユーザが会社エリアとして登録済みの基地局から離れた場所で１７：００以降まで残業していた場合、図７により説明した処理フローに従うと自宅モードに切り替わってしまうが、曜日時刻を判定した後の処理でＮｏ方向に処理が進むので、自宅モードに切り替わる直前に現在取得中の基地局情報と前述したように自宅エリアの登録基地局情報とを比較することによって、自宅にいるか否かを判別することが可能となり、自宅エリア外であった場合、第１のモード、すなわち、ビジネスモードとすることができるので、誤ったモードの切り替えを防止することができる。
【００５４】
図１０は無線基地局の情報として、会社エリアと自宅エリアとの２つの無線基地局情報を登録した場合の本発明の実施形態での他の処理動作の例を説明するフローチャートであり、次に、これについて説明する。
【００５５】
図１０に示すフローの例は、自宅エリアの無線基地局情報も取得して登録しておき、図７に示して説明したフローにおけるステップＳ７０２のＹｅｓの判定側に、通信リンクが確立している無線基地局が自宅エリアの無線基地局であるか否かを判定するステップＳ１００１を設け、ここでの判定で、通信リンクが確立している無線基地局が自宅エリアの無線基地局であった場合に、第２のモードと判定するステップＳ６０６の処理を行い、また、通信リンクが確立している無線基地局が自宅エリアの無線基地局でなかった場合に、第１のモードを判定するステップＳ６０４の処理を行うようにしたものである。なお、その他の処理内容は、図７により説明した場合と同一である。
【００５６】
このような処理を行うことにより、ユーザが有給を取得して自宅にいるような場合、図７により説明した処理では、登録基地局エリア外で曜日時刻にマッチしてしまうので、ビジネスモードになってしまう。このため、図１０に示す例では、曜日時刻を判定する処理でＹｅｓ方向に進んで、ビジネスモードに切り替わる直前に現在取得中の基地局情報と上述したように自宅エリアの登録基地局情報とを比較することによって、会社にいないことが判別することが可能となり、自宅エリアであった場合、第２のモード、すなわち、プライベートモードとすることができるので、誤ったモードの切り替えを防止することができる。
【００５７】
前述までに説明した本発明の実施形態は、第１のモード（ビジネスモード）と第２のモード（プライベートモード）との２つのモードの切り替えを行うとして説明したが、本発明は、さらに多くのモードを設定して無線基地局をモード毎に登録したり、日時の設定をモード毎に設定するようにすることができる。
【００５８】
また、前述した本発明の実施形態は、機器の設定や、アドレス帳等の通話に関する設定の切り替えをモードの切り替えと共に、自動的に行うとして説明したが、このような自動的な切り替えは、ときとして不都合が生じることがあるので、本発明は、モードが切り替えられたことを監視する手段を設けておき、モードの切り替えが検出された場合に、振動等により、あるいは、表示部４の表示色を変更する等により、モードが切り替えられたことをユーザに知らせ、ユーザにとって不都合な場合、ユーザが手動でモードを切り替えるようにすることができる。
【００５９】
前述した手動でのモードの切り替えは、通信他装置に設けられる切り換えボタンやスイッチ等であってよい。この場合に、モード切り替えのボタンが独立して設けられて、ワンタッチで切り替えることを可能としてもよく、また、ファンクションモードから切り換えるようにしてもよい。さらに、本発明は、前述の手動でのモードの切り替えを音声により行うようにすることもできる。例えば、ユーザが、マイク１１に向かって「ビジネスモード」と音声を発すると、音声処理回路１０がそれを音声認識し、モードをＣＰＵ１で判定し、モードを切り換えるようにすればよい。
【００６０】
前述した本発明の実施形態での各処理は、プログラムにより構成し、端末装置が備えるＣＰＵに実行させることができ、また、それらのプログラムは、ＦＤ、ＣＤＲＯＭ、ＤＶＤ等の記録媒体に格納して提供することができ、また、ネットワークを介してディジタル情報により提供することができる。
【００６１】
前述した本発明の実施形態によれば、モード判定の結果により、自機の各種設定を自動的に切り替えることができるので、手動で切り替える場合の煩わしさをなくし、また変更忘れによる不都合等もなくすことができる。また、モード毎に設定情報の登録領域を持つことにより、モードの変更に連動して、一度に複数の設定を変更することができる。
【００６２】
また、本発明の実施形態は、モードの判定を、自機が居る場所、その時点でのに日時、時刻情報に基づいて、また、これらを組み合わせて行うとしているので、職場に居る時間だけをビジネスモードとし、それ以外をプライベートモードとする等とすることができるので、通信端末装置を使い勝手のよいものとすることができる。
【００６３】
また、本発明の実施形態によれば、モード毎に電話帳やリダイヤル、コールバック等の通話に関する情報、履歴が切り替えられるので、ユーザは、必要としない内容を参照するという煩雑さを避けることができる。
【図面の簡単な説明】
【００６４】
【図１】図１は本発明の一実施形態による通信端末装置の構成を示すブロック図である。
【図２】図２は無線基地局の概略を説明する図である。
【図３】図３は基地局登録の処理動作を説明するフローチャートである。
【図４】図４は第１のモード（ビジネスモード）の曜日、時間の設定を行う処理動作を説明するフローチャートである。
【図５】図５はＲＡＭ３内に格納されるモード毎の設定値情報、通話に関する情報及び履歴情報について説明する図である。
【図６】図６は無線基地局の識別情報によりモードを判定して、モードに対応した設定情報を利用する処理動作を説明する本発明の実施形態でのフローチャートである。
【図７】図７は現在時刻や曜日情報によりモードを判定して、モードに対応した設定情報を利用する処理動作を説明する本発明の実施形態でのフローチャートである。
【図８】図８は無線基地局の識別情報と現在時刻や曜日情報との両者によりモードを判定して、モードに対応した設定情報を利用する処理動作を説明する本発明の実施形態でのフローチャートである。
【図９】図９は無線基地局の情報として、会社エリアと自宅エリアとの２つの無線基地局情報を登録した場合の本発明の実施形態での処理動作の例を説明するフローチャートである。
【図１０】図１０は無線基地局の情報として、会社エリアと自宅エリアとの２つの無線基地局情報を登録した場合の本発明の実施形態での他の処理動作の例を説明するフローチャートである。
【符号の説明】
【００６５】
１  ＣＰＵ
２  ＲＯＭ
３  ＲＡＭ
４  表示部
５  操作部
６  時計回路
７  システムバス
８  電波送信受信部
９  アンテナ
１０  音声処理回路
１１  マイク
１２  スピーカ
１３  基地局登録部
１４  モード判定時刻登録部
２０  基地局アンテナ
２１  無線基地局
２２  電話回線網
【図１】
2007201799.tif 000003
【図２】
2007201799.tif 000004
【図３】
2007201799.tif 000005
【図４】
2007201799.tif 000006
【図５】
2007201799.tif 000007
【図６】
2007201799.tif 000008
【図７】
2007201799.tif 000009
【図８】
2007201799.tif 000010
【図９】
2007201799.tif 000011
【図１０】
2007201799.tif 000012